(57)【要約】  クリップが、第１の縁部および第２の縁部を伴うクリップストラップ（２６）と、これを締め付けるための締め付け装置（１０）とを備える。クリップストラップが、第１の縁部と第２の縁部との間に配置され、互いに離隔された複数の凹部を有する。締め付け装置が、クリップストラップに対して相補的となるよう設計され、クリップストラップを通して誘導する誘導チャネル（２２）を有する。締め付け装置が、第１の自由端（３２）を伴う少なくとも１つの第１のばね状の戻り止め舌部（３０）を備え、第１の自由端が誘導チャネルの中に突出し、クリップストラップの締め付け方向（２８）に対して斜めに向けられる。クリップストラップが誘導チャネルを通って締め付け方向に誘導されるときに、第１の自由端が、クリップストラップの凹部の中に連続的に掛け留まり、締め付け方向に対する反対の動きを妨げるように、締め付け方向が誘導チャネルによって定められる。【選択図】図１
2021518900.tif 000002
【特許請求の範囲】
【請求項１】
第１の境界（４８）および第２の境界（５０）を伴うクリップバンド（２６）を有し、かつ該クリップバンド（２６）を締め付けるための締め付け装置（１０、５２、６０）を有し、前記クリップバンド（２６）が、前記第１の境界（４８）と前記第２の境界（５０）との間に配置されて離隔された複数の切り抜き部（４６）を有するクリップ（１２、５８、７６）であって、前記締め付け装置（１０、５２、６０）が、前記クリップバンド（２６）に対して相補的となるよう設計され、前記クリップバンド（２６）が中を通って誘導される誘導チャネル（２２、７４）を備え、前記締め付け装置（１０、５２、６０）が、第１の自由端（３２）を伴う少なくとも１つの第１の弾性ラッチ舌部（３０）を備え、該第１の弾性ラッチ舌部（３０）が、前記誘導チャネル（２２、７４）の中に突出し、前記クリップバンド（２６）の締め付け方向（２８）に対して斜めに向けられ、前記クリップバンド（２６）が前記誘導チャネル（２２、７４）を通って前記締め付け方向（２８）に誘導されるときに、前記第１の自由端（３２）が、前記クリップバンド（２６）の切り抜き部（４６）の中に連続的に掛け留まり、その後の前記締め付け方向（２８）に対する反対の動きを妨げるように、前記締め付け方向が前記誘導チャネル（２２、７４）によって定められるクリップ（１２、５８、７６）。
【請求項２】
前記締め付け装置（１０、５２、６０）が、２つの離隔された第１のラッチ舌部（３０）を備え、２つの該第１のラッチ舌部（３０）における前記第１の自由端（３２）が、前記誘導チャネル（２２、７４）に沿って互いから離隔され、前記クリップバンド（２６）が前記誘導チャネル（２２、７４）を通って前記締め付け方向（２８）に誘導されるとき、前記２つの離隔された第１のラッチ舌部（３０）が、前記クリップバンド（２６）の前記切り抜き部（４６）と交互に係合する請求項１に記載のクリップ（１２、５８、７６）。
【請求項３】
前記誘導チャネル（２２、７４）が、前記クリップバンド（２６）の２つの層を受け入れるように構成され、径方向内側の層として設けられた前記クリップバンド（２６）の第１の端部（３８）が、前記締め付け装置（１０、５２、６０）の縁端部（４２）に固着するよう締め付けるためのねじれ（４０）を備える請求項１または２に記載のクリップ（１２、５８、７６）。
【請求項４】
前記誘導チャネル（２２、７４）の締め付け方向（２８）に位置する端部において、前記締め付け装置（１０、５２、６０）が、ラッチ突出部を備え、該ラッチ突出部が、前記クリップバンド（２６）を前記締め付け装置（１０、５２、６０）に保持するための前記クリップバンド（２６）の第１の端部（３８）における切り抜き部（４６）の中に係合するよう構成される請求項１から３のいずれか一項に記載のクリップ（１２、５８、７６）。
【請求項５】
前記ラッチ突出部（３６）から締め付け方向（２８）の反対側に離隔され、前記クリップバンド（２６）の前記第１の端部（３８）を挿入するよう構成された開口部（５４、７８）が提供される請求項４に記載のクリップ（１２、５８、７６）。
【請求項６】
前記締め付け方向（２８）の反対に、前記第１のラッチ舌部（３０）に面した傾斜面（５６、８０）が続き、該傾斜面（５６、８０）が、前記誘導チャネル（２２、７４）の入口（２４、６２）を通って挿入され、前記誘導チャネル（２２、７４）の前記第１のラッチ舌部（３０）に面した前記クリップバンド（２６）の第２の端部（４４）を、前記傾斜面（５６、８０）によって径方向外側に逸らすように、かつ、前記第２の端部（４４）を誘導して前記誘導チャネル（２２、７４）から出すように構成される請求項５に記載のクリップ（１２、５８、７６）。
【請求項７】
前記締め付け装置（１０、５２、６０）が、第２の弾性ラッチ舌部（６４）を備え、該第２の弾性ラッチ舌部（６４）が、前記第１の弾性ラッチ舌部（３０）から前記締め付け方向（２８）に離隔され、前記誘導チャネル（２２、７４）の中に突出し、前記クリップバンド（２６）の前記締め付け方向（２８）に対して斜めに向けられた第２の自由端（７０）を有し、それによって、前記クリップバンド（２６）が前記締め付け方向（２８）の反対に前記誘導チャネル（２２、７４）を通って誘導されたときに、前記第２の自由端（７０）が、前記クリップバンド（２６）の切り抜き部（４６）の中に掛け留まり、前記締め付け方向（２８）の動きを妨げる請求項１に記載のクリップ（１２、５８、７６）。
【請求項８】
前記誘導チャネル（２２、７４）において、前記クリップバンド（２６）が前記第２のラッチ舌部（６４）に面した第２の入口（６８）を通って、前記締め付け方向（２８）の反対に前記誘導チャネル（２２、７４）の中に入る動きを定める開口部（５４、７８）が配置される請求項７に記載のクリップ（１２、５８、７６）。
【請求項９】
前記開口部（５４、７８）が傾斜面（８０）によって定められ、該傾斜面（８０）が前記第１のラッチ舌部（３０）に面し、かつ、前記誘導チャネル（５４、７８）とは反対側を向く前記第２のラッチ舌部（６４）の面（７２）によって、前記第２の入口（６８）を通して挿入された前記クリップバンド（２６）の端部を誘導し、前記誘導チャネル（５４、７８）から出す請求項８に記載のクリップ（１２、５８、７６）。
【請求項１０】
少なくとも１つの前記第１のラッチ舌部（３０）のうちの少なくとも１つには係合手段（８２）が装着され、該係合手段（８２）が前記誘導チャネル（２２、７４）とは反対側を向き、関連した前記ラッチ舌部（３０）の前記第１の自由端（３２）を前記誘導チャネル（２２、７４）から出すよう動かす請求項１から９のいずれか一項に記載のクリップ（１２、５８、７６）。
【請求項１１】
メタル材料から生成される請求項１から１０のいずれか一項に記載のクリップ（１２、５８、７６）。
【発明の詳細な説明】
【技術分野】
【０００１】
本発明は、請求項１のプリアンブルによるクリップバンドおよび締め付け装置を有するクリップに関する。
【背景技術】
【０００２】
様々なタイプのクリップが、先行技術からよく知られている。例えばホースクリップは、様々なパイプラインまたはホースを、対応する接続部品に留めるのに役立つ。この目的のため、パイプラインまたはホースと接続部品とを互いに押し込んで接続領域において重複させる。ホースクリップは、接続領域の周りに係合し、締め付け装置を締め付けることで、互いに対して接続させようとする２つの構成要素を径方向に押圧できる。それによって、それらを固定することに加えて、接続部の封止ももたらされる。
【０００３】
通常、締め付け装置の締め付け作用は、締め付け装置のハウジングに回転可能に受け入れられた締め付けねじの作動によって発生される。例としてウォーム駆動クリップの場合、締め付けねじのねじ山がクリップバンドを動かすのを可能にし、締め付けねじは外側において、ハウジングに対してねじ山に対応した係合手段を備える。従来のホースクリップでは、このような締め付けねじがクリップバンドに接線方向に作用し、さらにツールを接線方向に導入する必要がある。締め付けねじが中に配置されたハウジングの、径方向外側の配置により、締め付け装置は、クリップバンドから非常に目立って外側に延びる。これは、限定された設置条件の場合に問題となる場合がある。空間的に限定された条件の場合、ツールを接線方向に位置付けて締め付けねじに接続することは、やはり困難である。
【０００４】
多くの他のタイプのクリップまたは関連の装置が知られている。例えば電線を結束するために、プラスチックで作られた結束バンドが使用されることが多く、これはさらに、バンドを引っ張ることによって引き締めることができる。しかし、この種の結束バンドは、高温の設置環境では好適ではない。別の電線を導入するために結束バンドを緩めることが、困難となる場合もある。
【発明の概要】
【発明が解決しようとする課題】
【０００５】
本発明の目的は、冒頭で言及したタイプのクリップを、詳細には締め付け装置を大幅に平坦な構造にし、かつより迅速なアセンブリが可能となるよう改善することであり、クリップの開口部も、可能な限り単純にするよう意図される。
【０００６】
本発明の主な特徴は、請求項１の特徴部分に明示される。改良点は、請求項２から１１の主題である。
【課題を解決するための手段】
【０００７】
目的を実現するために、クリップが、第１の境界および第２の境界を伴うクリップバンドを有し、クリップバンドを締め付けるための締め付け装置を有し、このクリップバンドが、第１の境界と第２の境界との間に配置されて離隔された複数の切り抜き部を有する場合、クリップバンドに対して相補的となるよう設計され、クリップバンドが中を通って誘導される誘導チャネルを備える、本発明による締め付け装置が提供される。締め付け装置は、少なくとも１つの弾性ラッチ舌部を備え、このラッチ舌部は第１の自由端を有する。第１の自由端は、誘導チャネルの中に突出し、クリップバンドの締め付け方向に対して斜めに向けられる。この締め付け方向は、クリップバンドが誘導チャネルを通って締め付け方向に誘導されるときに、第１の自由端が、クリップバンドの切り抜き部の中に連続的に掛け留まり、締め付け方向に対するその後の反対の動きを妨げるよう、誘導チャネルによって定められる。
【０００８】
通常、クリップにはウォーム駆動または締め付けねじ接続が装着される。それらは、回転可能に取り付けられた締め付けねじと、クリップバンドまたは別個のねじ要素に対応するねじ山とを有する。このねじは、クリップバンドからかなりの範囲で径方向外側に突出し、作動のために、好適なツールとの相互作用を必要とする。本発明によると、クリップバンドに対して接線方向に延びる、このような径方向外側に突出した締め付けねじは必要ない。むしろ、締め付け装置を非常に平坦な構造で実現することが可能である。なぜならこの締め付け装置は、その機能によって、径方向外側の締め付けねじも、締め付け装置がツールと直接的に相互作用することも必要としないからである。基本的に非常に単純な形態のために、第１のラッチ舌部は、湾曲したシートメタルストリップから形成することができ、締め付け装置の一体部品を構成できる。締め付け装置の製造は、それによって簡略化され得る。加えて、ラッチ舌部をクリップバンドの切り抜き部の中に、簡単に掛け留めることが可能となり、それは、クリップを引き締めることだけではなく、クリップバンドを締め付け装置の中に導入することも、大幅に容易にする。誘導チャネルを通してクリップバンドを誘導することにより、第１のラッチ舌部の自由端部を、クリップバンドの切り抜き部と連続的に係合させる。しかし自由端の斜めの突出は、クリップバンドが後戻りする動き、いわゆる弛緩を防止する。第１のラッチ舌部の第１の自由端に隣接した領域のサイズおよび角度は、クリップバンドおよび切り抜き部の寸法に従い、必要な摺動力を最適化するため、かつ反対方向の必要な保持力を実現するために、適合させることができる。クリップを装着する前に、クリップバンドの両端を締め付け装置に接続する必要もない。ホースまたはパイプの構成要素間で、すでに接続が確立している場合、またはすでに組み立てられているラインの場合に、接続を固定するため、またはラインを束ねるためにも、本発明によるクリップを装着することができる。クリップは、使用者がクリップバンドを締め付け装置に対して移動させるか、または締め付け装置をクリップバンドに対して移動させて、第１のラッチ舌部を少なくとも第１の切り抜き部、または連続した切り抜き部の中に掛け留めて位置を保持して設定するという、非常に簡単な方法で、手によって予め荷重をかけることもできる。第１のラッチ舌部の自由端が、誘導チャネルの中に突出するので、ラッチ舌部と関連の切り抜き部との間の接続は、関連の切り抜き部から自由端を手動で誘導して出すだけでもたらされ得る。この目的で、別個のツールが必要となり得る。クリップを完全に締め付けるため、ツールを使用することで所望の引き締めをもたらすよう、高い張力をクリップバンドおよび／または締め付け装置に直接加えることを可能にする。
【０００９】
この接続において、上記および以下で「締め付け方向」と言及される方向は、クリップバンドの動きを表わし、この動きは、クリップの締め付けのために要するものである。締め付け方向は、締め付け装置によって定められ、締め付け装置の個々の領域における配置は、締め付け方向によって実質的に定められる。この理由のため、いくつかの特徴は、締め付け方向を参照して表わされる。詳細には、クリップバンドは、締め付け方向の反対にある他の領域の側から、締め付け方向に沿った側に動かされる。
【００１０】
１つの有利な実施形態において、締め付け装置は、離隔された２つの第１のラッチ舌部を備え、それらの第１の自由端は、誘導チャネルに沿って互いから離隔され、クリップバンドが誘導チャネルを通して締め付け方向に誘導されるとき、離隔された２つの第１のラッチ舌部は、交互または同時に、クリップバンドの切り抜き部と係合する。したがって２つの第１のラッチ舌部は、誘導チャネルの２つの異なるポイントに配置され、各々は、自由端と位置を合わせられたクリップバンドの切り抜き部に掛け留まる。２つの第１のラッチ舌部が、切り抜き部と交互に係合するよう、第１のラッチ舌部同士の間における空間を選択することによって、クリップバンドと締め付け装置との間において考えられる掛け留め位置の、より細かい移行が実現可能となる。この目的で、切り抜き部の数を増加させること、およびそれらの程度に関して、より細かいグリッドに適合させることは、必ずしも必要ない。２つの第１のラッチ舌部が同時に切り抜き部と係合するよう、ラッチ舌部同士の互いに対する空間を選択することによって、より高い締め付け力を受け入れることが可能になる。
【００１１】
誘導チャネルは、クリップバンドの２つの層を受け入れるようにも構成することができる。径方向内側の層として設けられた、クリップバンドの第１の端部は、締め付け装置の縁端部に固着するよう締め付けるための、ねじれを備える。このように、以下で常に第１の端部と言及されることになる、クリップバンドの固定した端部を留めるための、別個のデバイスは必要ではない。クリップバンドは、ねじれが好適に縁端部を圧迫するまで、緩めた状態で締め付け装置を通して誘導することができる。この縁端部は、締め付け方向の反対に位置する、誘導チャネルの端部に配置されるのが特に好ましい。クリップは、クリップバンドの第２の端部を導入することで完了され、この第２の端部は第１の端部の反対側で、誘導チャネルの中に配置される。クリップが所望の設置個所に固着するよう締め付けられた場合、第１に端部に隣接したクリップバンドの領域は、誘導チャネルにおいて、第１の径方向内側の層を形成する。径方向外側の層は、押し通された第２の端部およびクリップバンドの隣接した領域によって形成される。上記の径方向外側の層は、第１のラッチ舌部と係合する。クリップバンドの第１の端部におけるねじれによって、個々の層間で生じる摩擦力に加えて、締め付け装置との形状嵌合をもたらす。
【００１２】
代替または追加として、締め付け方向に位置する誘導チャネルの端部において、締め付け装置はラッチ突出部を備えることができる。このラッチ突出部は、クリップバンドを締め付け装置に保持するために、クリップバンドの第１の端部における切り抜き部の中に係合するよう構成される。ラッチ突出部との係合によって、クリップバンドを締め付け装置に固定させること、または固定を支持させることができる。この場合、ラッチ突出部は様々な方法で実現させることができる。ラッチ突出部を、平坦な形態で締め付け装置の基面から径方向外側に延びるウェブ状の突出部で構成することが、有利となり得る。締め付け装置の基面は、接続されることになる構成要素に接触する。ラッチ突出部およびクリップバンドの第１の端部の、クリップバンドの径方向外側の層との重複、ならびに締め付けの間に周方向に生じる力によって、接続を固定することが可能となる。ラッチ突出部が、周方向に延びるねじれた領域を追加で備え、それによってラッチ突出部がクリップバンドの切り抜き部を受け入れるフックを形成すると、さらに有利となり得る。
【００１３】
特に有利には、ラッチ突出部から締め付け方向の反対側に離隔され、クリップバンドの第１の端部を挿入するよう構成された、開口部が提供される。それによってクリップバンドが、その後ラッチ突出部に固定されるよう、クリップバンドの第１の端部を開口部の中に挿入するか、差し込むことができる。クリップが、互いに接続されることになる構成要素に装着され次第、ラッチ突出部および開口部の両方の嵌合を形成することによって、第１の端部はもはや締め付け装置から解放することはできない。この開口部は、例えば径方向外側に延びた突起部、またはシートメタルストリップの形態の、単純なスロットとして実現することができる。
【００１４】
開口部には、締め付け方向の反対に、第１のラッチ舌部に面した傾斜面が続く。この開口部は、誘導チャネルの入口を通って挿入されて第１のラッチ舌部に面したクリップバンドの第２の端部を、傾斜面によって径方向外側に逸らすよう、かつこの端部を誘導チャネルから出すよう、構成される。この場合、誘導チャネルの中、または誘導チャネルに直接留められたクリップバンドの第１の端部は、クリップバンドの第２の端部の摺動貫通を妨げない。傾斜面によって、クリップバンドは僅かに径方向に逸らすことができ、使用者によって容易に把持され得る。
【００１５】
１つの有利な発展において、締め付け装置は、第２の弾性ラッチ舌部を備える。第２の弾性ラッチ舌部は、第１の弾性ラッチ舌部から締め付け方向に離隔され、誘導チャネルの中に突出し、クリップバンドの締め付け方向に対して斜めに向けられた第２の自由端を有する。それによって、クリップバンドが締め付け方向の反対に誘導チャネルを通して誘導されたときに、第２の自由端は、クリップバンドの切り抜き部の中に掛け留まり、締め付け方向の動きを妨げる。第２の弾性ラッチ舌部は、詳細には締め付け装置の端部に配置することができる。この端部は、誘導チャネルの中に通じる入口の反対側にある。上記の端部に差し込まれることによって、クリップバンドを、クリップバンドの切り抜き部と第２の自由端との間で係合させることができ、それによってクリップバンドはその後締め付け装置に留められる。クリップバンドを締め付け装置に堅固に接続するために、別個の留め手段または方法ステップは必要ない。このような発展は、クリップバンドを、締め付け装置の２つの異なるポイントにおいて比較的簡単に解放可能にし、そのため、クリップの選択された、または定められた設置位置において、使用者には融通が利く。
【００１６】
誘導チャネルにおいて、このような第２のラッチ舌部を利用する場合、クリップバンドが第２のラッチ舌部に面した第２の入口を通って、締め付け方向の反対に誘導チャネルの中に入る動きを定める、開口部を配置することができる。上記の開口部は、クリップバンドの第１の端部を受け入れ、かつ径方向に保持することができる。開口部を接線方向に定めることによって、第１の端部における特定の範囲のみを差し込むことができる。
【００１７】
好ましくは開口部は、傾斜面によって定めることができ、傾斜面は第１のラッチ舌部に面し、かつ誘導チャネルとは反対側を向く第２のラッチ舌部の面によって、第２の入口を通して挿入されたクリップバンドの第１の端部を誘導し、誘導チャネルから出す。第２のラッチ舌部でクリップバンドを留めることによって、適応性および操作性という点で損失をもたらさない。クリップバンド、および互いに接続されることになる構成要素の外周の長さのみが、誘導チャネルを押し通すことができるセクションを定める。
【００１８】
少なくとも１つの第１のラッチ舌部のうちの少なくとも１つに、係合手段が装着されることは好ましい。この係合手段は、関連のラッチ舌部の自由端を誘導チャネルから出すよう動かすために、誘導チャネルとは反対側を向く。特に簡単な場合において、係合手段を、関連のラッチ舌部に、深絞り加工で長手方向に切り込みを入れたストリップ形状として、具現化することができる。上記の部分は、ラッチ舌部の周辺領域に対して空隙を含み、この空隙の中に、スクリュードライバ、または関連の第１のラッチ舌部を梃子で動かすための他の好適なツールを、差し込むことができる。
【００１９】
メタル材料から生成されたクリップは、特に好ましい。クリップは、詳細にはスチールから構成することができる。締め付け装置を生成するための好適なワークピースは、シートメタルである。シートメタルは特に、切断することなく、複数の成形作業によって生成することができる。締め付け装置は、好ましくは１つの部品であり、接合されない。すなわち、締め付け装置を生成するために別個の構造部品を互いに接続させない。少なくとも１つの第１のラッチ舌部、および必要に応じて第２のラッチ舌部を、対応した切断またはパンチング、および成形することによって生成することができる。
【００２０】
このクリップは、特に結束バンドの機能を満たすことができる。メタル材料で成された設計は、高温安定性を実現させることを可能にする。しかし同時に、後続の装着、および迅速かつ簡単な引き締めももたらすことができる。
【００２１】
本発明の別の特徴、詳細、および利点は、特許請求項の表現、および図を参照した以下の例示的な実施形態の説明から明らかとなる。
【図面の簡単な説明】
【００２２】
【図１】本発明によるクリップの、第１の例示的な実施形態の締め付け装置の立体図である。
【図２】本発明によるクリップの、第１の例示的な実施形態の部分的横断面図である。
【図３】本発明によるクリップの、第２の例示的な実施形態の締め付け装置の立体図である。
【図４】本発明によるクリップの、第２の例示的な実施形態の部分的横断面図である。
【図５】本発明によるクリップの、第３の例示的な実施形態の締め付け装置の立体図である。
【図６】本発明によるクリップの、第３の例示的な実施形態の部分的横断面図である。
【発明を実施するための形態】
【００２３】
図１は、図２のクリップ１２の締め付け装置１０を示す。締め付け装置１０は、径方向内側を形成する基面１４を備える。基面１４は、意図する使用、あるいは接続されることになるパイプラインもしくはホースライン、または１本または複数本の電線に適応される、曲率を有する。径方向外側の上面１６は、基面１４、および互いに反対側にあり、かつ基面１４と上面１６との間に延びた２つの側面１８、２０と共に、誘導チャネル２２を囲む。誘導チャネル２２は入口２４を有し、入口２４を通して、図２に示された相補的に形成されたクリップバンド２６を、締め付け方向２８に沿って誘導チャネル２２の中に差し込むことができる。
【００２４】
２つの第１の弾性ラッチ舌部３０は、上面１６において締め付け方向に沿って互いに離隔して配置され、各々は、誘導チャネル２２の中に突出した第１の自由端３２を備える。２つの第１のラッチ舌部３０は、湾曲またはねじれたシートメタル部であり、締め付け方向２８に対して斜めに、誘導チャネル２２の中に延びる。例として、第１のラッチ舌部は、上面１６の一部として形成され、上面１６または締め付け方向２８に対して斜めに成形することによって方向付けられる。
【００２５】
クリップバンド２６が、誘導チャネル２２から再び出ることができる出口３４は、入口２４の反対の、締め付け装置１０の側に位置される。そこで締め付けバンドは、固着するよう引き締めを実施するため、トングまたは別の圧力嵌合装置もしくは形状嵌合装置などのツールを用いて、把持することができる。出口３４から締め付け方向２８に離隔された、ラッチ突出部３６が設けられ、それを用いてクリップバンド２６を係合させることができる。これは、図２を参照して以下でさらに示す。
【００２６】
図２の部分的横断面図において、クリップバンド２６の第１の端部３８が確認できる。それは僅かなねじれ４０を有する。このねじれは、締め付け装置１０の縁端部４２に接触させることができる。クリップバンド２６は、第１の端部３８の反対側に第２の端部４４を有する。示された図において、ねじれ４０は、縁端部４２の近くに位置され、それによって第１の端部３８は、締め付け方向２８の反対に、誘導チャネル２２から離隔される。クリップバンド２６は、基面１４の上を誘導チャネル２２を通って延び、リング状に湾曲し、それによって第２の端部４４が誘導チャネル２２を通って再び突出する。誘導チャネル２２内および特定の領域において、締め付け方向２８の反対、および締め付け方向２８に沿って、締め付けバンド２６の２つの層は重複する。この場合、第２の端部４４は外側で径方向に位置し、その一方で第１の端部３８は内側で径方向に位置する。
【００２７】
例として、クリップバンド２６は、詳細Ａに示される切り抜き部４６を備える。切り抜き部４６は、クリップバンドの第１の境界４８と第２の境界５０の間で、クリップバンド２６に沿って互いから離隔されるよう、並べられる。切り抜き部４６は、詳細には規則的なグリッドで配置することができる。切り抜き部４６の図は単に例であり、切り抜き部４６および第１のラッチ舌部３０が互いに相補的に設計される限り、種々の他の変形が考えられる。
【００２８】
第１のラッチ舌部３０の第１の自由端３２は、クリップバンドの径方向外側の層が、第１の自由端３２が切り抜き部４６の中に係合できるよう、第１のラッチ舌部３０の構造によって構成される。第１のラッチ舌部３０の、示された締め付け方向２８に対する斜めの向きによって、クリップバンド２６の摺動貫通が容易に可能となる。第１の自由端３２は、切り抜き部４６の中に交互に掛け留まるか、または、後続の切り抜き部４６の中に掛け留まるために、係合している切り抜き部４６の、締め付け方向２８の反対側の縁部から、締め付け方向２８に動かされる。逆の動きは、矢尻の顎の要領で、第１のラッチ舌部３０によって防止される。
【００２９】
２つの第１のラッチ舌部３０は、互いに離隔され、それによって第１の自由端３２は必ずしも同時に切り抜き部４６の中に掛け留まる必要はなく、むしろ好ましくは交互に掛け留まる。このように、切り抜き部４６同士の間の一定間隔に関わらず、考えられる掛け留め位置は、単一の第１のラッチ舌部３０のみの場合よりも、細かく移行させることができる。
【００３０】
クリップ１２を固着するよう締め付けた結果、第１の端部３８を備えたクリップバンド２６の径方向内側の層は、固定される。それに加えて、切り抜き部４６のうちの１つは、例えばラッチ突出部３６に係合させることができる。クリップバンド２６の径方向内側の層が径方向に固定された場合、クリップバンド２６は、周方向に滑ることはない。
【００３１】
図３は、基本的に締め付け装置１０に非常に類似した構造を有する、締め付け装置５２の形態の変更を示す。したがって、図３において、同じ参照符号が、締め付け装置１０でも確認できる、締め付け装置５２の部分または構造部領域に提供される。基本的な違いは、ラッチ突出部３６から締め付け方向２８の反対側に離隔され、クリップバンド２６の第１の端部３８を挿入するよう構成された、開口部５４が提供されることである。このように、クリップバンド２６の位置は、径方向に固定することができる。したがって、誘導チャネル２の中におけるクリップバンド２６の重複は、必ずしも必要ではなく、この例示的な実施形態でも重複しない。クリップバンド２６の第２の端部４４を誘導して出すのを妨げないよう、例えば開口部５４は傾斜面５６に配置される。この傾斜面５６は、例えば締め付け方向２８に抗って配置され、かつ例えば径方向外側に方向付けられた隆起部として具現化される。このように、クリップバンド２６の第２の端部４４を接線方向に前進させることができ、その結果、僅かに径方向外側に逸らすことができる。
【００３２】
図４は、もたらされたクリップ５８を示す。ここでは、クリップバンド２６は、第１のラッチ舌部３０およびラッチ突出部３６のうちの１つと係合する。第１の端部４４は、締め付け方向２８に、ラッチ突出部３６を越えて動かされる。
【００３３】
図５は、クランプ装置６０の別の変形を示す。基本的な構造は、図１または図３と類似するが、締め付け装置６０は、単一の第１のラッチ舌部３０のみを備え、これは第１の入口６２に配置され、第１の入口６２の中に誘導されたクリップバンド２６の、切り抜き部４６の中に係合できる。締め付け装置６０の反対側において、締め付け方向２８に対して同様に斜めに延びる、第２のラッチ舌部６４が配置される。ラッチ舌部３０および６４は、締め付け方向２８、または上面１６もしくは基面１４の共通の接線において、例えば同一の大きさの２つの頂角を含む。これは、ラッチ舌部３０および６４が、互いに対して実質的にミラー反転したように配置されることを意味する。ミラーリングを決定する鏡面６６は、この場合は、上述の接線と交差し、かつラッチ舌部３０および６４の間の中央に形成されて径方向に上記の接線に対して垂直に延びた面によって、形成される。
【００３４】
第２の入口６８は、第２のラッチ舌部６４に近接した領域に位置される。ここで、クリップバンド２６の第１の端部４４を、第２のラッチ舌部６４における第２の自由端７０と係合させるために、導入することができる。それによってクリップバンド２６を、固着するよう締め付けるか、またはラッチ突出部３６の代わりに、第２のラッチ舌部６４によって、締め付け装置６０に留めることができる。入口６２の中に差し込まれ、押し通されたクリップバンド２６の第２の端部３８を、第２のラッチ舌部６４の面７２によって、誘導して出すことができる。面７２は、第１のラッチ舌部３０に向かって面する。それによって誘導チャネル７４は、入口６２から第２のラッチ舌部６４における面７２の範囲まで形成される。
【００３５】
最後に図６は、締め付け装置６０がクリップバンド２６を伴って完結した、クリップ７６を示す。クリップバンド２６の第１の端部４４が、締め付け方向２８と反対に配置された傾斜面８０において形成された開口部７８の中に差し込まれているのが、さらに確認できる。これは、図３および図４の例示と類似して具現化される。傾斜面８０によって、クリップバンド２６の第２の端部４４は、第２のラッチ舌部６４の面７２によって続いて外側に到達するよう、接線方向に前進させることで径方向外側に僅かに逸らせることができる。
【００３６】
第１のラッチ舌部３０において、例えばスクリュードライバなどのツールの差し込みを容易にする、係合手段８２を確認することも可能である。対応する梃子または別の類似の作用によって、第１のラッチ舌部３０を、切り抜き部４６との係合から解放することができる。
【００３７】
本発明は、上述した実施形態のうちの１つに限定されず、むしろ様々な方法で変更することができる。
【００３８】
特許請求の範囲、説明、および図から生じる、構造的詳細、空間的配置、および方法ステップを含む、全ての特徴ならびに利点は、単独および様々な組合せの両方で、本発明には本質的なものとなり得る。
【符号の説明】
【００３９】
１０  締め付け装置
１２  クリップ
１４  基面
１６  上面
１８  側面
２０  側面
２２  誘導チャネル
２４  入口
２６  クリップバンド
２８  締め付け方向
３０  第１のラッチ舌部
３２  第１の自由端
３４  出口
３６  ラッチ突出部
３８  第１の端部
４０  ねじれ
４２  縁端部
４４  第２の端部
４６  切り抜き部
４８  第１の境界
５０  第２の境界
５２  締め付け装置
５４  開口部
５６  傾斜面
５８  クリップ
６０  締め付け装置
６２  第１の入口
６４  第２のラッチ舌部
６６  鏡面
６８  第２の入口
７０  第２の自由端
７２  面
７４  誘導チャネル
７６  クリップ
７８  開口部
８０  傾斜面
８２  係合手段
【図１】
2021518900.tif 000003
【図２】
2021518900.tif 000004
【図３】
2021518900.tif 000005
【図４】
2021518900.tif 000006
【図５】
2021518900.tif 000007
【図６】
2021518900.tif 000008
【国際調査報告】
2021518900.tif 000009
2021518900.tif 000010
2021518900.tif 000011
2021518900.tif 000012